(57)【要約】【課題】  作業性及び安全性に優れ、繰り返し使用が可能なラップフィルム収納箱を提供する。【解決手段】  上面開口型の容器本体１、容器本体１の縁１ｂに配設された安全カバー２、容器本体１の開口部に設けられた蓋３、蓋３の縁３ｂに配設された切断刃４、蓋３に配設された固定カバー５、及びラップフィルム巻物を支持する一対の支持具６、６’を有するラップフィルム巻物収納箱であり、前記安全カバー２が、蓋３により容器本体１の開口部を閉じたときにその辺２ａにより切断刃４の刃先４ａを隠すように配設され、且つ、前記固定カバー５が、蓋３により容器本体１の開口部を閉じたときに安全カバー２に係合するように配設されたラップフィルム巻物収納箱。【選択図】  図１
2005231643.tif 000002
【特許請求の範囲】
【請求項１】
ラップフィルム巻物を収納する上面開口型の容器本体１、容器本体１の側面１ａの縁１ｂに配設された安全カバー２、容器本体１の開口部に開閉可能に設けられた蓋３、蓋３の側面３ａの縁３ｂに着脱可能に配設されたラップフィルム切断刃４、蓋３の側面３ａに配設された固定カバー５、及び、容器本体１の他の側面１ｃ、１ｃ’に配設されたラップフィルム巻物を回転可能に支持するための一対の支持具６、６’を有するラップフィルム巻物収納箱であり、前記安全カバー２が、前記蓋３により容器本体１の開口部を閉じたときにその辺２ａによりラップフィルム切断刃４の刃先４ａを隠すように配設され、且つ、前記固定カバー５が、蓋３により容器本体１の開口部を閉じたときに安全カバー２に係合するように配設されたことを特徴とするラップフィルム巻物収納箱。
【請求項２】
前記安全カバー２が、辺２ａ及び２ｂを有しその辺２ｂの表面、及び容器本体１の側面１ａの縁１ｂの表面に接着テープ９が貼着されたことを特徴とする請求項１記載のラップフィルム巻物収納箱。
【請求項３】
前記安全カバー２が、逆Ｌ字型であることを特徴とする請求項１記載のラップフィルム巻物収納箱。
【請求項４】
前記ラップフィルム切断刃４が、その側面４ｂに複数の固定穴４ｃを有し、複数のボタン状の突起物７ａを有するプレート７及び複数の固定穴８ａを有するプレート８により挟持一体化され、且つ、複数のボタン状の突起物７ａのそれぞれが相対する固定穴４ｃ及び８ａを順次貫通し、更に、ボタン状の突起物７ａのそれぞれの先端部７ｂが、蓋３の縁３ｂに設けられた相対する固定穴３ｃに嵌入したことを特徴とする請求項１記載のラップフィルム巻物収納箱。
【請求項５】
前記ラップフィルム切断刃４の複数の固定穴４ｃの少なくとも一対、前記プレート７の複数のボタン状の突起物７ａの少なくとも一対、及び、前記プレート８の複数の固定穴８ａの少なくとも一対が、長さ方向中心部を基準としてそれぞれ左右非対象に配設されたことを特徴とする請求項４記載のラップフィルム巻物収納箱。
【請求項６】
前記固定カバー５が、逆７字型であり、その先端５ａにより安全カバー２の辺２ａ及び２ｂに係合するように配設されたことを特徴とする請求項１記載のラップフィルム巻物収納箱。
【請求項７】
前記安全カバー２が、安全カバー２、２’に分割され、それらが容器本体１の側面１ａの縁１ｂの左縁１ｂ１及び右縁１ｂ２にそれぞれ配設され、且つ、前記固定カバー５が、蓋３により容器本体１の開口部を閉じたときに縁１ｂの中央縁１ｂ３及びラップフィルム切断刃４の刃先４ａを覆い隠すように配設されたことを特徴とする請求項１記載のラップフィルム巻物収納箱。
【発明の詳細な説明】
【技術分野】
【０００１】
本発明は、ラップフィルム巻物収納箱に関する。詳しくは、食品などの包装に使用するラップフィルムの巻物を収納するための容器であって、ラップフィルム巻物を詰め替えることにより繰り返し使用することができるラップフィルム巻物収納箱に関する。
【背景技術】
【０００２】
従来、この種のラップフィルムの収納箱は紙製の容器からなり、その容器内にラップフィルム巻物が収納されているとともに、この収納されたラップフィルム巻物からラップフィルムを引き出し、所定の長さに切断出来る様にするために、該容器の蓋には金属製の切断刃がかしめ固定されている。しかしながら、上記の様な従来のラップフィルム収納箱によると、容器の蓋に切断刃をかしめ固定してなる構造であるため、切断刃の切断性が低下しても、切断刃を容易に交換することができず、切断性が低下した切断刃を使用し続けなければならない等使い勝手が悪い欠点があった。
【０００３】
また、上記従来のラップフィルム収納箱において、その容器内に収納されているラップフィルムを全て使いきってしまった場合、収納箱はその一部でさえリサイクルされることなく、全てゴミとして廃棄処分されているのが実状である。これは、例えば、従来のラップフィルム収納箱において、その紙製の容器を再生紙としてリサイクルした場合、当該容器の蓋にかしめ固定されている金属製の切断刃を取り外す作業に時間がかかり、リサイクルコストが高くなることとなる。また、手指を切傷する危険性もあった。
【０００４】
この様な問題を解決することを目的として、ラップフィルムを全て使用した後も半永久的に使用可能で、切断性が劣化した切断刃を交換出来る様な詰め替え用のラップフィルム収納箱の提案がなされている。例えば、特開２００３−８１２８０号公報（特許文献１参照）等が挙げられる。
特開２００３−８１２８０号公報には、ラップフィルムロールを収納する上面開口型の容器本体と、上記容器本体の上面開口に開閉可能に設けられたフタと、上記ラップフィルムロールから引き出したラップフィルムをカットするカッターとを有するラップフィルム収納ケースが記載されている（請求項１）。
【０００５】
カッターの取り付け構造については、カッター３の一方の刃部３ｂだけが台座プレート４の一側縁から突出してカット可能な状態に配置されることが記載されるだけで、刃先の方向などについては詳細には記載されていない（段落［００１８］参照）。しかし、図１には、ラップフィルムロールの詰め替えをした後にフタを閉じる際、鋭利な刃先３ｂを先頭にしてフタを閉じる形態が記載されている。また、図５には、保管するときの状態が記載されており、鋭利な刃先３ｂが常時露出する形態で保管されることが記載されている。このように、鋭利な刃先３ｂが常時露出する形態であると、ラップフィルム巻物の詰め替え時及び保管時における作業性、安全性の点で必ずしも充分であるとは言い難い。
【０００６】
【特許文献１】特開２００３−８１２８０号公報（請求項１、［００１８］、図１及び図５）
【発明の開示】
【発明が解決しようとする課題】
【０００７】
本発明の目的は、上記問題に鑑み、作業性及び安全性に優れ、繰り返し使用が可能なラップフィルム巻物収納箱を提供することにある。
【課題を解決するための手段】
【０００８】
本発明者らは、上記の課題を解決するために鋭意検討した結果、特定の保護具を配設することにより、ラップフィルムの切断時以外は鋭利な刃先を覆い隠して保護する構造とすることが可能であり、詰め替え時の作業性と切断性を低下させることなしに安全性に優れたラップフィルム収納箱が得られることを見出し、本発明に到った。
【０００９】
即ち、本発明は、ラップフィルム巻物を収納する上面開口型の容器本体１、容器本体１の側面１ａの縁１ｂに配設された安全カバー２、容器本体１の開口部に開閉可能に設けられた蓋３、蓋３の側面３ａの縁３ｂに着脱可能に配設されたラップフィルム切断刃４、蓋３の側面３ａに配設された固定カバー５、及び、容器本体１の他の側面１ｃ、１ｃ’に配設されたラップフィルム巻物を回転可能に支持するための一対の支持具６、６’を有するラップフィルム巻物収納箱であり、前記安全カバー２が、前記蓋３により容器本体１の開口部を閉じたときにその辺２ａによりラップフィルム切断刃４の刃先４ａを隠すように配設され、且つ、前記固定カバー５が、蓋３により容器本体１の開口部を閉じたときに安全カバー２に係合するように配設されたことを特徴とするラップフィルム巻物収納箱である。
【００１０】
本発明に係わるラップフィルム巻物収納箱の好ましい形態として、下記（Ａ）〜（Ｆ）の形態に係わるラップフィルム巻物収納箱が挙げられる。
（Ａ）前記安全カバー２が、辺２ａ及び２ｂを有しその辺２ｂの表面、及び容器本体１の側面１ａの縁１ｂの表面に接着テープ９が貼着されたことを特徴とする請求項１記載のラップフィルム巻物収納箱。
（Ｂ）前記安全カバー２が、逆Ｌ字型である前記ラップフィルム巻物収納箱。
（Ｃ）前記ラップフィルム切断刃４が、その側面４ｂに複数の固定穴４ｃを有し、複数のボタン状の突起物７ａを有するプレート７及び複数の固定穴８ａを有するプレート８により挟持一体化され、且つ、複数のボタン状の突起物７ａのそれぞれが相対する固定穴４ｃ及び８ａを順次貫通し、更に、ボタン状の突起物７ａのそれぞれの先端部７ｂが、蓋３の縁３ｂに設けられた相対する固定穴３ｃに嵌入した前記ラップフィルム巻物収納箱。
（Ｄ）前記ラップフィルム切断刃４の複数の固定穴４ｃの少なくとも一対、前記プレート７の複数のボタン状の突起物７ａの少なくとも一対、及び、前記プレート８の複数の固定穴８ａの少なくとも一対が、長さ方向中心部を基準としてそれぞれ左右非対象に配設された前記ラップフィルム巻物収納箱。
（Ｅ）前記固定カバー５が、逆７字型であり、その先端５ａにより安全カバー２の辺２ａ及び２ｂに係合するように配設された前記ラップフィルム巻物収納箱。
（Ｆ）前記安全カバー２が、安全カバー２，２’に分割され、それらが容器本体１の側面１ａの縁１ｂの左縁１ｂ１及び右縁１ｂ２にそれぞれ配設され、且つ、前記固定カバー５が、蓋３により容器本体１の開口部を閉じたときに縁１ｂの中央縁１ｂ３及びラップフィルム切断刃４の刃先４ａを覆い隠すように配設された前記ラップフィルム巻物収納箱。
【発明の効果】
【００１１】
本発明に係わるラップフィルム巻物収納箱は、安全カバー２が配設され、その辺２ａが、蓋３により容器本体１の開口部を閉じたときにラップフィルム切断刃４の刃先４ａを隠すように配設される。また、固定カバー５が配設され、それが蓋３により容器本体１の開口部を閉じたときに安全カバー２の辺２ａ及び２ｂに係合するように配設されるため、容器本体１の側面の中央縁に安全カバーを取り付けない場合であっても、固定カバー５によりラップフィルム切断刃４の刃先４ａを隠すことが可能である。そのため、ラップフィルムを切断するとき以外は、鋭利なラップフィルム切断刃４の刃先４ａは、安全カバー２及び固定カバー５によって覆い隠されており、極めて安全性が高い。取り扱い時などに手、指などを切傷する恐れがなく安全である。また、ラップフィルム切断刃４は、その刃先４ａの向きを常に一定方向に配設することが可能であり、ラップフィルム切断刃４を更新したいときは切断性能を一定に維持して新品と交換することができる。
【発明を実施するための最良の形態】
【００１２】
以下、本発明に係わるラップフィルム巻物収納箱について詳細に説明する。本発明に係わるラップフィルム巻物収納箱は、容器本体、安全カバー、蓋、切断刃、固定カバー及び一対の支持具を備えたラップフィルムの巻物を収納するための箱である。収納箱は、中空状であり、その中空部にラップフィルムの巻物を収納する。収納箱の形状としては、中空円筒形、中空直方体などでもよいが、取り扱い性等を考慮すると長さ方向と直交する方向の断面が正八角形である中空柱状形であることが好ましい。
【００１３】
本発明に係わるラップフィルム巻物収納箱の一実施形態について図面を用いて詳細に説明する。図１は、蓋を閉じた状態の収納箱の長さ方向と直交する方向の側面模式図である。図２は、蓋を開いた状態の収納箱の長さ方向と直交する方向の側面模式図である。また、図３は、蓋を開いた状態の収納箱の内側の平面模式図である。図１〜３は、形状が、長さ方向と直交する方向の断面が正八角形である中空柱状形の収納箱の一例である。
【００１４】
図示したように、本発明に係わるラップフィルム巻物収納箱は、その主要部はラップフィルムの巻物ＷＲを収納する容器本体１、及びこの容器本体１の蓋３である。容器本体１は上面開口型である。蓋３は、容器本体１の上面開口部に開閉可能に設けられ、両者は熱可塑性樹脂などを用いて別々に成形し、それを連結具などを用いて連結してもよい。しかし、生産性、取り扱い性などを考慮すると、熱可塑性樹脂などを用いて一体成形したものであることが好ましい。
【００１５】
容器本体１の長さ方向の側面１ａの先端には縁１ｂが設けられる。縁１ｂは、図１及び図２に記載した状態においては、その上面が水平となるように設けられる。縁１ｂの先端には安全カバー２が接合される。安全カバー２は、その断面が逆Ｌ字型であることが好ましい。その場合、縁１ｂの上面と安全カバー２の辺２ｂの上面とが水平面を形成するように接合する。そうすることにより、図１及び図２に記載した状態においては、安全カバー２の辺２ａが鉛直となるように配設される。縁１ｂ及び安全カバー２は、熱可塑性樹脂などを用いて容器本体１と一体成形することが好ましい。
【００１６】
安全カバー２は、縁１ｂの先端の全てに設けてもよいが、容器本体１に収納されたラップフィルムを引き出す際に、フィルム先端を摘み易くするなどの作業性を考慮すると、縁１ｂの先端の全てに設けない方が好ましい。図３には、安全カバー２が、安全カバー２、２’に分割された形態を示す。容器本体１の側面の左縁１ｂ１には安全カバー２が、右縁１ｂ２には安全カバー２’がそれぞれ取り付けられ、中央縁１ｂ３には安全カバーを取り付けない。この場合、左縁１ｂ１、右縁１ｂ２、安全カバー２、及び安全カバー２’は、容器本体１と一体成形されていることが好ましい。本実施形態においては、断面が逆Ｌ字型の安全カバー２及び２’を例示したが、同様の作用を奏するものであれば、他の形状の変形物でもよい。
【００１７】
図３に示したように、中央縁１ｂ３には安全カバーを設けないことが好ましい。そうすることにより、当該箇所に凹部が形成される。この凹部には、容器本体１からラップフィルムＦを引き出してラップフィルム切断刃４で切断した際に、フィルムの先端が露出した状態で存在する。次回、ラップフィルムＦを引き出すときはその露出したフィルム先端部を容易に摘むことが可能であり、収納箱からフィルムＦを引き出す作業性を良好となすことができる
また、図３に示したように、容器本体１の側面の左縁１ｂ１の表面、及び右縁１ｂ２の表面には、ラップフィルムＦの先端を接着するための接着テープ９、９’を貼着することが好ましい。図示しないが、このとき接着テープ９、９’は、左縁１ｂ１の先端に配設された安全カバー２の辺２ｂの表面、及び、右縁１ｂ２の先端に配設された安全カバー２’の辺２ｂ’の表面にも同時に貼着される。収納箱から引き出されたラップフィルムＦがラップフィルム切断刃４の刃先４ａにより切断される際には、ラップフィルムＦがプレート７と接着テープ９、９’により挟まれた状態となる。このとき、切断されたラップフィルムＦの先端は、接着テープ９に粘着したままの状態を保つこととなり容器本体１内に戻ることがなく、次回、フィルムＦを引き出す際に便利である。接着テープ９、９’は粘着性が低下したときなどは剥離して取り替えてもよい。接着テープ９、９’の素材としては、ラップフィルムと接着テープとの静摩擦係数が少なくとも０．０５であるものが好ましい。
【００１８】
図３に基づいて、容器本体１の側面の左縁１ｂ１の表面、及び右縁１ｂ２の表面に接着テープ９、９’を貼着する形態を説明した。しかし、容器本体１の側面１ａの縁１ｂの先端の全てに安全カバー２を取り付けたときは、容器本体１の側面１ａの縁１ｂの表面、及び安全カバー２の辺２ｂの表面に接着テープ９を貼着することが好ましい（図１の拡大部分参照）。
【００１９】
図３に示したように、容器本体１の長さ方向と直交する側面１ｃ、１ｃ’には、ラップフィルム巻物ＷＲの紙巻部を支持するための支持具６、６’が相対して設けられる。支持具６、６’は、ラップフィルム巻物ＷＲを回転可能に支持する。支持具６、６’は、それぞれ容器本体１の長さ方向に傾斜させることにより、即ち、図３においては左右に傾斜させることにより開くことができるように取り付けることが好ましい。例えば、ヒンジ部６ａ、６ａ’を介して側面１ｃ、１ｃ’に取り付られる。左右に傾斜させて開かれた支持具６、６’の突起物６ｂ、６ｂ’にラップフィルム巻物ＷＲの紙巻部を嵌入しながら支持具６、６’を鉛直方向に立ち上げることにより、ラップフィルム巻物ＷＲは着脱可能な状態で容器本体１に収納される。収納されたラップフィルム巻物ＷＲは、支持具６、６’の突起物６ｂ、６ｂ’を回転軸として回転可能な状態にある。支持具６、６’は、容器本体１と一体成形してもよいし、容器本体１と別々に成形してネジなどで取り付けてもよい。好ましくは一体成形されたものである。一体成形することにより、ラップフィルム巻物ＷＲを取り替えるときなどに紛失などすることを防止できる。
【００２０】
蓋３の長さ方向の側面３ａの先端には縁３ｂが設けられる。縁３ｂは、図１の状態においてはその下面が水平となるように設けられる。縁３ｂは、熱可塑性樹脂などで蓋３と一体成形されることが好ましい。蓋３を閉じたときには、縁１ｂと縁３ｂはラップフィルム切断刃４を挟持して重ね合わされた状態となる。
【００２１】
図４は、プレート７、ラップフィルム切断刃４、及びプレート８のそれぞれの側面の平面模式図、並びに、蓋３の縁３ｂの表面の平面模式図である。図５は、ラップフィルム切断刃４の側面の平面模式図である。ラップフィルム切断刃４の取り付け方法について、図４及び図５に基づいて説明する。ラップフィルム切断刃４は、プレート７及びプレート８により挟持一体化された状態で蓋３の側面３ａの先端の縁３ｂに着脱可能に取り付けられる。
【００２２】
ラップフィルム切断刃４は、その側面４ｂに複数の固定穴４ｃを有する。複数の固定穴４ｃは、側面４ｂの幅方向のほぼ中央にその表裏を貫通するように長さ方向にほぼ一列に設けられる。複数の固定穴４ｃのそれぞれを設ける位置は、側面４ｂの長さ方向の中心部を基準として左右非対象となる位置に設けることが好ましい。左右非対象とは、図５において、固定穴４ｃ１と固定穴４ｃ２が、側面４ｂの長さ方向の中心部からの長さが異なる位置に設けることを意味する。即ち、図５において、Ｌ１とＬ２の長さが等しいとき、Ｌ３とＬ４の長さが異なるように設ける。これは、ラップフィルム切断刃４を取り替えなどした際に、ラップフィルム切断刃４の表裏を間違えて取り付けることを防止し、ラップフィルムを切断する際のラップフィルム切断刃４の刃先４ａの向きを一定に保つようにするためである。複数の固定穴４ｃの内、左右非対象に設けるものは、例えば図５に記載した固定穴４ｃ１及び固定穴４ｃ２のように少なくとも一対設ければよい。
【００２３】
プレート７は、その側面に複数のボタン状の突起物７ａを有する。複数のボタン状の突起物７ａは、プレート７の側面の幅方向のほぼ中央にその長さ方向にほぼ一列に設けられる。複数のボタン状の突起物７ａのそれぞれを設ける位置は、ラップフィルム切断刃４の固定穴４ｃのそれぞれに挿入して貫通させて一体化することができる位置であればよい。ボタン状の突起物７ａは、プレート７と一体成形することが好ましい。
【００２４】
プレート８は、その側面に複数の固定穴８ａを有する。複数の固定穴８ａは、プレート８の側面の幅方向のほぼ中央にその表裏を貫通するように長さ方向にほぼ一列に設けられる。複数の固定穴８ａのそれぞれを設ける位置は、ラップフィルム切断刃４の固定穴４ｃのそれぞれに相対する位置に設ける。蓋３の側面３ａの先端の縁３ｂには、複数の固定穴３ｃが設けられる。複数の固定穴３ｃのそれぞれを設ける位置は、複数のボタン状の突起物７ａのそれぞれの先端が嵌入できる位置である。
【００２５】
図４に示したように、プレート７の複数のボタン状の突起物７ａのそれぞれは、先ず、ラップフィルム切断刃４の相対する固定穴４ｃを白矢印の方向に貫通する。更に、複数のボタン状の突起物７ａのそれぞれは、プレート８の相対する固定穴８ａを白矢印の方向に貫通して、ラップフィルム切断刃４はプレート７及び８により挟持されて一体化される。最後に、複数のボタン状の突起物７ａの先端７ｂ（図６参照）のそれぞれが、蓋３の相対する固定穴３ｃに着脱可能に嵌入される。
【００２６】
図６は、プレート７及びプレート８により挟持一体化されたラップフィルム切断刃４の、蓋３の縁３ｂへの取り付け状態を示す模式図である。プレート７のボタン状の突起物７ａを、ラップフィルム切断刃４及びプレート８を貫通させ、更に、ボタン状の突起物７ａの先端７ｂを蓋３の縁３ｂに嵌入させることにより、ラップフィルム切断刃４は、プレート７及び８により挟持された状態で蓋３の縁３ｂに着脱可能に配設される。このとき、切断刃４の刃先４ａは、プレート７、プレート８、及び蓋３の縁３ｂから突出するように取り付ける。ボタン状の突起物７ａの形状は特に問わない。固定穴４ｃと固定穴８ａを貫通して、その先端７ｂを固定穴３ｃに嵌入することにより、ラップフィルム切断刃４を着脱可能に固定できる形状であればよい。
【００２７】
前記ラップフィルム切断刃４の複数の固定穴４ｃの少なくとも一対、プレート７の複数のボタン状の突起物７ａの少なくとも一対、及び、プレート８の複数の固定穴８ａの少なくとも一対を、長さ方向中心部を基準としてそれぞれ左右非対象に配設する形態の変形について説明する。
【００２８】
図４及び図５に示したように、切断刃４の側面４ｂの左端に切り込み４ｄを設ける。図４におけるプレート７の左端に、前記切り込み４ｄに嵌入可能な突起物７ｃを設ける。図４におけるプレート８の左端に、プレート７の前記突起物７ｃが嵌入可能な切り込み８ｂを設ける。また、図４における蓋３の縁３ｂの左端に、プレート７の前記突起物７ｃが嵌入可能な固定穴３ｄを設ける。蓋３の縁３ｂにラップフィルム切断刃４を配設するに際しては、プレート７の前記突起物７ｃを、順次切り込み４ｄ及び切り込み８ｂに嵌入し、次いで、プレート７の前記突起物７ｃの先端を蓋３の縁３ｂの左端に設けられた固定穴３ｄに嵌入する。この方法によっても、ラップフィルム切断刃４を取り替えなどした際に、切断刃４の表裏を間違えて取り付けることを防止することが可能である。
【００２９】
上記形態は、切り込み４ｄ、突起物７ｃ、切り込み８ｂ及び固定穴３ｄを、図４における左端に設ける一例であるが、これらを図４における右端に設けて左右非対象とする形態でも何ら差し支えない。これらの形態において、切り込み４ｄ、突起物７ｃ、切り込み８ｂ及び固定穴３ｄを設ける位置は、図４におけるそれぞれの幅方向（長さ方向と直交する方向）の中央部から幅方向に数ミリメートル離れた位置であることが好ましい。
【００３０】
図１の円形で囲んだ部分の拡大図は、ラップフィルム切断刃４の刃先４ａが安全カバー２の辺２ａにより隠される状態を示す模式図である。通常、刃先４ａはギザギザのノコギリ刃の形状を呈する。図１の円形で囲んだ部分の拡大図に示したように、ラップフィルム切断刃４の刃先４ａは、蓋３の縁３ｂの先端部、プレート７の先端、及びプレート８の先端からはみ出すように取り付けられる。そして、蓋３により容器本体１の上面開口部を閉じたときには、安全カバー２は、その辺２ａによりラップフィルム切断刃４の刃先４ａを隠すように配設される。即ち、図１の状態では、ラップフィルム切断刃４は、その刃先４ａと安全カバー２の辺２ａとが接することのないように取り付けられ、更に、安全カバー２の辺２ａの先端部が、ラップフィルム切断刃４の上面より上側に位置するように取り付けられる。そのように設置することにより、図１において、右側から手などを近づけた場合であっても、安全カバー２の辺２ａにより保護されるのでラップフィルム切断刃４の刃先４ａにより切傷することがなく安全である。
【００３１】
図１に示したように、蓋３の側面３ａには固定カバー５が配設される。固定カバー５は、その先端５ａにより安全カバー２の辺２ａ及び２ｂに係合するように配設される。固定カバー５の取り付け強度を考慮した場合、蓋３の側面３ａとその先端の縁３ｂとにオーバーラップした状態で取り付けることが好ましい。その場合、固定カバー５は、その末端部の両端に幅方向に突出して形成された突起物を、相対して配設された２個の回転保持具１０に嵌入することにより、蓋３の側面３ａとその先端の縁３ｂとにオーバーラップして取り付けられる。２個の回転保持具１０は、固定カバー５の幅方向の長さにほぼ等しい間隔をもって、固定カバー５の末端部の両端に幅方向に突出して形成された突起物が嵌入できる間隔で取り付けられる。
【００３２】
図７は、固定カバー５の一方の末端部の幅方向に突出した突起物が、回転保持具１０に嵌入されて、蓋３の側面３ａとその先端の縁３ｂとにオーバーラップした状態で取り付けられた形態を示す断面の模式図である。黒矢印は、固定カバー５を安全カバー２に係合する際、又は係合を外す際に動く方向を示す。図示しないが、固定カバー５の他の末端部の幅方向に突出した突起物は、他の回転保持具１０に嵌入される。
回転保持具１０を蓋３の側面３ａ及び縁３ｂへ取り付ける方法は特に問わない。例えば、接着剤で接着する方法、ネジなどで固定する方法が挙げられる。しかし、蓋３の側面３ａとその先端の縁３ｂの複数箇所に凹部を形成し、回転保持具１０の複数箇所に前記凹部に相対する凸部を形成し、それらの凸部を前記凹部に嵌入して取り付ける方法が好ましい。
【００３３】
図７に基づいて説明する。回転保持具１０の中央付近には、凹状の軸受が形成される。その軸受の周囲には、ほぼ等間隔で凹状のストッパー１０ｂ、１０ｃ、及び１０ｄが形成される。ストッパーは１０ｂ及び１０ｃの２個でもよい。図示しないが、固定カバー５の末端部の幅方向に突出した突起物には、前記凹状のストッパー１０ｂ、１０ｃ、及び１０ｄへ嵌入可能な、幅方向と直交する方向に突出した複数の凸状突起が形成される。
【００３４】
固定カバー５の先端部の形状としては、安全カバー２の辺２ａ及び２ｂに係合させることを考慮すると断面が逆７字型のものが好ましい。その先端５ａが、蓋３により容器本体１の開口部を閉じたときに安全カバー２の辺２ａ及び２ｂに係合するように配設される（図１参照）。このとき、固定カバー５の末端部の突起物に形成された幅方向と直交する方向に突出した凸状突起のいずれか１個が、前記凹状のストッパー１０ｂ、１０ｃ、又は１０ｄのいずれか１個に嵌入するように配設することが好ましい。また、安全カバー２の辺２ａ及び２ｂから固定カバー５の先端５ａを外して蓋３を開いたときは、固定カバー５の末端部に形成された幅方向と直交する方向に突出した前記凸状突起の他のいずれか１個が、前記凹状のストッパー１０ｂ、１０ｃ、又は１０ｄの他のいずれか１個に嵌入するように配設する。この方法を採用することにより、蓋３が開かれたとき、又は閉じられたときに固定カバー５が固定され安定性よく保持される。
【００３５】
蓋３が開閉した際に固定カバー５を固定する他の方法は、上記方法に限定されない。他の方法としては、例えば、回転保持部１０の中央付近に形成された前記軸受の内壁面のいずれか１箇所、及び、固定カバー５の末端部の幅方向に突出した前記突起物のいずれか１箇所を、蓋３が開かれたとき及び閉じられたときに密着させる方法が挙げられる。
【００３６】
上述したように、図３には、容器本体１の側面の左縁１ｂ１に安全カバー２、右縁１ｂ２に安全カバー２’がそれぞれ取り付けられ、中央縁１ｂ３に安全カバーを取り付けない形態を示した。図３において、蓋３により容器本体１の開口部を閉じたとき、固定カバー５は、その先端５ａが、容器本体１の側面の左縁１ｂ１の先端に配設された安全カバー２の右端部及び右縁１ｂ２の先端に配設された安全カバー２’の左端部に係合するように配設される。この状態においては、固定カバー５により、蓋３が容器本体１に固定されるとともに、容器本体１の側面の中央縁１ｂ３に露出している切断刃４の刃先４ａが、固定カバー５により覆い隠される。即ち、図３に示した形態においては、安全カバー２、安全カバー２’及び固定カバー５により、刃先４ａの全てが覆い隠され安全である。本実施形態においては、固定カバー５の形状として、断面が逆７字型のものを例示したが、同様の作用を奏するものであれば、他の形状の変形物でも差し支えない。
【００３７】
上記実施形態のラップフィルム巻物収納箱は、ラップフィルム切断刃４を含めて全ての部品を熱可塑性樹脂で成形することが好ましい。熱可塑性樹脂としては、ポリプロピレン、ポリエチレンなどのポリオレフィン系樹脂が挙げられる。好ましい成形方法としては、射出成形法が挙げられる。ラップフィルム切断刃４のみは金属製であってもよい。寸法は、特に制限はない。通常、ラップフィルム巻物は、フィルムの幅が１０〜９０ｃｍ程度、直径が３〜１０ｃｍ程度であることを考慮すると、フィルム幅に相当する方向の収納箱の長さが１２〜９５ｃｍ程度、内径が４〜１５ｃｍ程度、肉厚が０．５ｍｍ〜１ｃｍ程度である形態が好ましい。
【００３８】
通常、ラップフィルム巻物収納箱は、水を使用する厨房や家庭の台所などで使用することが多い。そのため、プラスチック製であると容易に洗浄することが可能である。また、収納箱を成形する際に、予め熱可塑性樹脂に抗菌剤、防カビ剤等を添加、混合しておくことにより、カビなどの発生を防止することができる。
【００３９】
次いで、上記のように構成された本発明の一実施形態のラップフィルム巻物収納箱の使用方法について、図１〜図３に基づいて説明する。
図３に示したように、容器本体１の側面１ｃ、１ｃ’に配設された支持具６、６’ を鉛直方向に立ち上げて、その突起物６ｂ、６ｂ’をラップフィルム巻物ＷＲの紙巻部の端に嵌入することにより、ラップフィルム巻物ＷＲを容器本体１に回転可能に収納することができる。通常、この状態でラップフィルム巻物ＷＲが保管される。使用する際は、図１及び図２に示したように、安全カバーの辺２ａ及び２ｂに係合している固定カバー５を外すことにより、蓋３を開けることができる。この状態において、容器本体１に収納されたラップフィルムＷＲからラップフィルムＦを引き出すことが可能となる。必要とする長さだけのラップフィルムＦを引き出した後、ラップフィルム切断刃４の刃先４ａにより切断する。多数の被包装物がある場合は、ラップフィルムＦの引き出しと切断の操作を繰り返せば、必要とする枚数のラップフィルムＦの切断片を得ることができる。
【００４０】
ラップフィルム切断刃４の刃先４ａの性能が低下したときは、切断刃４を取り替えることができる。ラップフィルム切断刃４は、プレート７及びプレート８により挟持一体化された状態で、ボタン状の突起物７ａにより蓋３の縁３ｂへ取り付けられている。従って、蓋３の縁３ｂに嵌入されているプレート７のボタン状の突起物７ａを引き抜き、次いで、プレート７のボタン状の突起物７ａをラップフィルム切断刃４及びプレート８から引き抜くことにより、ラップフィルム切断刃４を取り外すことができる。新しいラップフィルム切断刃４を取り付けるときは、上記操作を逆順に実施すればよい。
【００４１】
本発明の一実施形態では、ラップフィルム切断刃４の側面４ｂに設けられた複数の固定穴４ｃの少なくとも一対は、長さ方向の中心部を基準として左右非対象となる位置に設けられている。プレート７の側面に設けられた複数のボタン状の突起物７ａの少なくとも一対、及びプレート８の側面に設けられた複数の固定穴８ａの少なくとも一対は、それぞれ上記複数の固定穴４ｃの少なくとも一対と相対する位置に設置されている。従って、この形態を採用した場合は、固定穴４ｃの少なくとも一対、ボタン状の突起物７ａの少なくとも一対、及び、固定穴８ａの少なくとも一対とがそれぞれ合致するようにして取り付けることにより、ラップフィルム切断刃４の表裏を間違えて取り付けることを防止することができ、ラップフィルム切断刃４の刃先４ａの向きが常に一定となるように配設することが可能であり、ラップフィルム切断刃４の性能を一定に保つことができる。
【００４２】
また、切断刃４の側面４ｂの左端に切り込み４ｄを、プレート７の左端に前記切り込み４ｄに嵌入可能な突起物７ｃを、プレート８の左端にプレート７の前記突起物７ｃが嵌入可能な切り込み８ｂをそれぞれ設け、更に蓋３の縁３ｂの左端にプレート７の前記突起物７ｃが嵌入可能な固定穴３ｄを設ける方法によっても、ラップフィルム切断刃４の刃先４ａの向きが常に一定となるように配設することが可能である。
【産業上の利用可能性】
【００４３】
大型小売り店の商品の包装場やレストラン、居酒屋、食堂の厨房などにおいて、食品、日用雑貨品などを手包装する際に用いるラップフィルムの収納箱として有用である。一般家庭においても使用可能である。
【図面の簡単な説明】
【００４４】
【図１】蓋を閉じた状態の収納箱の長さ方向と直交する方向の側面模式図である。
【図２】蓋を開いた状態の収納箱の長さ方向と直交する方向の側面模式図である。
【図３】蓋を開いた状態の収納箱の内側の平面模式図である。
【図４】プレート７、ラップフィルム切断刃４及びプレート８のそれぞれの側面の平面模式図、並びに、蓋３の縁３ｂの表面の平面模式図である。
【図５】ラップフィルム切断刃４の側面の平面模式図である。
【図６】プレート７及びプレート８により挟持一体化されたラップフィルム切断刃４の、蓋３の縁３ｂへの取り付け状態を示す模式図である。
【図７】図７は、固定カバー５の一方の末端部の幅方向に突出した突起物が、回転保持具１０に嵌入されて、蓋３の側面３ａとその先端の縁３ｂとにオーバーラップした状態で取り付けられた形態を示す断面の模式図である。
【符号の説明】
【００４５】
１：容器本体
１ａ：側面
１ｃ、１ｃ’：他の側面
１ｂ：縁
１ｂ１：左縁
１ｂ２：右縁
１ｂ３：中央縁
２、２’：安全カバー
２ａ、２ａ’、２ｂ：辺
３：蓋
３ａ：側面
３ｂ：縁
３ｃ、３ｄ：固定穴
４：ラップフィルム切断刃
４ａ：刃先
４ｂ：側面
４ｃ、４ｃ１、４ｃ２：固定穴
４ｄ：切り込み
５：固定カバー
５ａ：先端
６、６’：支持具
６ａ、６ａ’：ヒンジ部
６ｂ、６ｂ’：突起物
７：プレート
７ａ、７ｃ：突起物
７ｂ：先端
８：プレート
８ａ：固定穴
８ｂ：切り込み
９、９’：接着テープ
１０：回転保持具
１０ｂ、１０ｃ、１０ｄ：ストッパー
ＷＲ：ラップフィルム巻物
Ｆ：ラップフィルム
Ｌ１、Ｌ２、Ｌ３、Ｌ４：切断刃の側面の一部分の長さ
【図１】
2005231643.tif 000003
【図２】
2005231643.tif 000004
【図３】
2005231643.tif 000005
【図４】
2005231643.tif 000006
【図５】
2005231643.tif 000007
【図６】
2005231643.tif 000008
【図７】
2005231643.tif 000009